(57)【要約】【課題】装身具の留め具が肌に密着するようにして滑りにくくし留め輪が前にこない装身具を提供する。【解決手段】環状形成物を構成する部材の１以上に滑り止め材料をコーティングまたは塗る環状形成物である。【選択図】      図１
0003127231.tif 000002
【実用新案登録請求の範囲】
【請求項１】
環状形成物を構成する部材の１以上に滑り止め材料をコーティングまたは塗ることを特徴とする環状形成物。
【請求項２】
環状形成物を構成する部材の１以上を滑り止め材料で製作して用いることを特徴とする環状形成物。
【請求項３】
環状形成物を構成する部材に滑り止め材料をコーティングまたは塗ったずれ防止具を付設することを特徴とする環状形成物。
【請求項４】
前記ずれ防止具は滑り止め材料により製作して用いることを特徴とする請求項３に記載の環状形成物。
【請求項５】
前記ずれ防止具は脱着自在であることを特徴とする請求項３に記載の環状形成物。
【考案の詳細な説明】
【技術分野】
【０００１】
本考案は、留め具のずれを防止する装身具の技術に関する。
【背景技術】
【０００２】
従来、ネックレスなどを装着中、体の動きや留め具の重さなどにより、本来首の後ろにあるはずの留め具が、気がつくと首の前にまわってしまっていることがある。
例えば、ネックレスの留め具（引き輪など）は、ネックレスの鎖を形成する１つ１つの小さなリングに比べ大きな場合が多く、かつ重い。そのため、装着者の自然な活動等により体を動かすと遠心力が働き首の前面に廻りこんでしまうという問題がある。
【０００３】
また、ネックレス等の装着者は、度々ネックレスの結び金具を背面の見えない方向へ動かすために廻さなければならず、面倒であるばかりか、周囲の目が気になる。
また、特許文献１によれば、短いチェーンの一端に、従来のネックレスに着脱自在にできることを特徴とする引き輪を付設し、他端にクリップを付設し衣服を挟んで留め具のずれを防止し、かつ紛失も防止する提案がされている。
【０００４】
しかしながら、このような方法ではクリップが美観や美感を損ねるという問題がある。
【０００５】
【非特許文献１】実用新案登録第３１１５４８６号公報
【考案の開示】
【考案が解決しようとする課題】
【０００６】
本考案は上記のような実情に鑑みてなされたものであり、装身具の留め具が肌に密着するようにして滑りにくくし留め輪が前にこない装身具を提供することを目的とする。
【課題を解決するための手段】
【０００７】
本考案の態様のひとつである環状形成物を構成する部材の１以上に滑り止め材料をコーティングまたは塗ることを特徴とする。
また、環状形成物を構成する部材の１以上を滑り止め材料で製作して用いることを特徴とする。
【０００８】
また、環状形成物を構成する部材に滑り止め材料をコーティングまたは塗ったずれ防止具を付設することを特徴とする。
好ましくは、前記ずれ防止具は滑り止め材料により製作して用いてもよい。
【０００９】
好ましくは、前記ずれ防止具は脱着自在であってもよい。
【考案の効果】
【００１０】
本考案によれば、ネックレスなどの留め具のずれを防止し、着脱自在にすることで他のネックレスにも使用することができる。
【考案を実施するための最良の形態】
【００１１】
以下図面に基づいて、本考案の実施形態について詳細を説明する。
（実施例１）
図１、図２は、ネックレス（環状形成物：ブレスレット、ラリアット、アンクレット、グラスコード）などの留め具を示した図である。図１、２に示すネックレスの留め具周辺は、留め具１（引き輪、カニカン：Lobster craspなど）、第１接合部材２（丸カン、板カンなど）、第２接合部材３、第３接合部材４（丸カンなど）、チェーン５、などから構成される。上記環状形成物を構成する部材１〜５は金属に限定するものではなくプラスチィック、革、繊維、ビニールなどを利用しているものである。また、チェーン５はボールチェーンなどであってもかまわない。
【００１２】
図１の例では、留め具１にシリコンなどの滑り難い物質（滑り止め材料）をコーティングしている。
図２の例では、留め具１およびその周辺の第１接合部材２、第２接合部材３、第３接合部材４に滑り難い物質をコーティングした図である。
【００１３】
ここで、滑り難い材料は皮膚に接触した場合、その接触が保たれるように調合された医療用シリコン、ウレタン樹脂等を用いる。
このようにコーティングすることでネックレスなどのずれを防止できる。
【００１４】
なお、留め具１の周辺の構成は上記図１、２に限定されるものではない。例えば第２接合部材３がない構成にしてもよいし、それ以外の構成にして各構成部にコーティングしてもかまわない。また、滑り難くするためにチェーン５に直にコーティングしてもよい。
【００１５】
また、各構成部１〜６を医療用シリコン、ウレタン樹脂等で製作してもよい。また、全ての部材を医療用シリコン、ウレタン樹脂等で製作しなくてもよい。コーティングした部材と混用してもよい。
【００１６】
（実施例２）
図３は実施例１に示したネックレスの留め具１にさらに金輪６、チェーン７を取付けた場合（ずれ防止具を設けた場合）の実施例である。この場合も実施例１と同様に滑り難い物質をコーティングする。
【００１７】
このようにコーティングすることでネックレスなどのずれを防止できる。
なお、留め具１の周辺の構成は上記図１、２に限定されるものではない。例えば第２接合部材３がない構成にしてもよいし、それ以外の構成にして各構成部にコーティングしてもかまわない。また、滑り難くするためにチェーン５に直にコーティングしてもよい。
【００１８】
また、各構成部１〜７を医療用シリコン、ウレタン樹脂等で製作してもよい。例えば、金輪６をシリコンリングにする。また、全ての部材を医療用シリコン、ウレタン樹脂等で製作しなくてもよく必要な部材のみを作成してもよい。コーティングした部材と混用してもよい。
【００１９】
（実施例３）
図４は実施例１に示したネックレスにプレート８（ずれ防止具）を付設する場合である。この場合も実施例１、２と同様に滑り難い物質を板状の物質（金属板、プラスチック板など）にコーティングする。このようにコーティングすることでネックレスなどのずれを防止できる。
【００２０】
例えば、プレート８を留め具１やそれ以外の場所に付設し、シリコンが肌に密着することによりすべり止めの効果が働き、首の前へ動くことを阻止する。
また、例えば、暑さ０．１〜０．２ｍｍ程度の厚さ、幅０．３〜０．５ｍｍ程度の伸し飴状の２枚の部材でネックレスを包み、肌に接触させることができる。また、プレート８にチェーン５が固定できる孔をプレートに複数開けてプレート８がチェーン５に固設されるように製作する。そうすることでプレート８がチェーン５を移動しなくなる。
【００２１】
なお、プレート８自体を医療用シリコン、ウレタン樹脂等で製作してもよい。
実施例２、３のシリコンリングやプレート８は使い捨ても可能である。
（実施例４）
図５、６に実施例３で説明したプレート８（ずれ防止具）の変形例を示す。図５ではチェーン５にプレート９（ずれ防止具）通して使用している。
【００２２】
図６では、一枚のプレート９だけでなく複数のプレート９をチャーン５に通している。例えば、ネックレスの留め具１が後ろから見えるような服装の場合、部材を首の側面に接触するように側面に設置することも可能である。
【００２３】
また、プレート８、９自体にブランド名を付してもよいし、視覚的に美感を持たせて目立たせてもよい。プレート８、９は、花や鳥などの造形物であってもよく、プレートに限定されるものではない。
【００２４】
なお、プレート８、９やコーティングは必要がなくなればネックレスから離し処理できる。しかし、万一、ネックレスの間等に挟まった場合、ジュエリー洗浄装置などで簡単に取り除くことができる。
【００２５】
また、本考案は、上記実施の形態に限定されるものでなく、本考案の要旨を逸脱しない範囲内で種々の改良、変更が可能である。
【図面の簡単な説明】
【００２６】
【図１】実施例１の留め具周辺の構成を示す図である（例、引き輪のコーティング）。
【図２】実施例１の留め具周辺の構成を示す図である（例、引き輪と周辺のコーティング）。
【図３】実施例２の留め具周辺の構成を示す図である。
【図４】実施例３の留め具周辺の構成を示す図である。
【図５】実施例４のプレートの付設を示す図である。
【図６】実施例４の複数のプレートの付設を示す図である。
【符号の説明】
【００２７】
１  留め具、
２  第１接合部材、
３  第２接合部材、
４  第３接合部材、
５  チェーン、
６  金輪、
７  チェーン、
８  プレート、
９  プレート、
【図１】
0003127231.tif 000003
【図２】
0003127231.tif 000004
【図３】
0003127231.tif 000005
【図４】
0003127231.tif 000006
【図５】
0003127231.tif 000007
【図６】
0003127231.tif 000008